(57)【要約】【課題】高さを任意に調整することができ、且つ、その姿勢を常に維持することができる長さ調整用連結管を提供する。【解決手段】筒状に形成される第１筒部２と第２筒部３とを同一軸心上に連結して備え、第１筒部２を、排水桝９を構成する蓋受枠管９２に嵌合可能に形成すると共に当該第１筒部２の外周面に軸心を包囲する状態で等間隔で形成される溝部４を形成し、第２筒部３を、蓋受枠管９２に連結可能な立上り管９１及び第１筒部２にも嵌合可能に形成する。【選択図】 図２
2010101051.tif 000002
【特許請求の範囲】
【請求項１】
筒状に形成される第１筒部と第２筒部とを同一軸心上に連結して備え、
前記第１筒部は、互いに嵌合可能な一対の管の一方の管に嵌合可能に形成されると共に外周面に前記軸心を包囲する状態で等間隔で形成される溝部を備え、
前記第２筒部は、前記一対の管の他方の管及び前記第１筒部に嵌合可能に形成されていることを特徴とする長さ調整用連結管。
【請求項２】
前記第１筒部及び第２筒部は円筒状に形成されると共に、前記第２筒部は、前記第１筒部の外径に対応する内径若しくは前記第１筒部の内径に対応する外径を有して形成されていることを特徴とする請求項１に記載の長さ調整用連結管。
【請求項３】
少なくとも前記第１筒部が透明又は半透明な素材により形成されていることを特徴とする請求項１又は請求項２に記載の長さ調整用連結管。
【請求項４】
請求項１〜３の何れか１項に記載の長さ調整用連結管を用いた排水桝の設置構造であって、
前記一対の管は排水桝を構成し、前記一方の管が上端縁を地表面に露出させる蓋受枠管であって、他方の管が処理装置に連通する立上り管であり、該蓋受枠管と該立上り管とが前記長さ調整用連結管により連結されたことを特徴とする排水桝の設置構造。
【発明の詳細な説明】
【技術分野】
【０００１】
本発明は、排水桝等の高さを調整するための長さ調整用連結管及びそれを用いた排水桝の設置構造に関する。
【背景技術】
【０００２】
従来、台所や便所からの生活汚水は地中に埋設された排水桝を通じて下水本管に流入し、この下水本管によって汚水処理場に運ばれて処理される排水システムが知られている。かかる排水桝は、地中に埋設した排水管の接続部分、排水管路の屈曲部分、敷地境界部の排水管路等に設置され、排水管路に接続する排水桝本体と、排水桝本体から地表に向けて接続された立上り管と、立上り管の上端開口に蓋を被せた構成を備えている。
【０００３】
この種の排水桝は、蓋の上面を地表面に一致又は略一致させることが好ましい一方、施工の段階では当該地表面よりも低く又は高くした状態で建物の施工を行い、当該施工の最終段階で地表面に一致させる工法が行われる場合も少なくなく、例えば特許文献１においては、上述の如く施工に応じて高さを調整するために立上り管を伸縮可能な蛇腹状に形成した高さ調整部材が提案されている。
【０００４】
【特許文献１】実開平０５−０４２３９０号公報
【発明の開示】
【発明が解決しようとする課題】
【０００５】
しかしながら、上記特許文献１に示す高さ調整部材においては、蛇腹の伸縮可能範囲においてのみしか高さを調整することができないという問題があった。また、蓋部材重量が過大である場合には、当該重量により蛇腹が収縮し、所望の高さ位置を維持することが困難であるという問題があった。のみならず、立上り管は、高さ調整後は当該姿勢を維持した状態で地中に埋設されることとなるものであるにも拘らず、蛇腹状に形成して伸縮性を付与することによって徒にコストが嵩む虞もある。
【０００６】
そこで、本発明は、高さを任意に調整することができ、且つ、施工の最終段階においてはその姿勢を常に維持することができる安価な長さ調整用連結管及びそれを用いた排水桝の設置構造を提供することを目的とする。
【課題を解決するための手段】
【０００７】
上記課題解決のための具体的手段として、本願発明に係る長さ調整用連結管は、（１）筒状に形成される第１筒部と第２筒部とを同一軸心上に連結して備え、前記第１筒部は、互いに嵌合可能な一対の管の一方の管に嵌合可能に形成されると共に外周面に前記軸心を包囲する状態で等間隔で形成される溝部を備え、前記第２筒部は、前記一対の管の他方の管及び前記第１筒部に嵌合可能に形成されていることを特徴としている。
【０００８】
これにより、上記一対の管の間に本願発明の長さ調整用連結管を配備することが可能である。また、上記筒状とは、溝部を除いては同一断面を保持するとことを示している。
【０００９】
上記構成によれば、第１筒部の溝部に沿って該第１筒部を切断することで第１筒部の長さを調整することができると共に、切断面が切断前の第１筒部の端面と同一又は略同一の形状を有することとなるで、切断後の第１筒部の端部も一方の管に嵌合することが可能となる。したがって、一対の管の間に本願発明の長さ調整用連結管を介在させ、該長さ調整用連結管の長さを調整することにより、これら一対の管の間隔を適宜調整することができる。換言すると、他方の管に対する一方の管の突出量を当該長さ調整用連結管により適宜調整することができる。
【００１０】
そうすると、第２筒部は、切断前後に亘って第１筒部に嵌合可能であるため、当該切断後の第１筒部と第２筒部を嵌合させて２つの長さ調整用連結管を連結することが可能となる。
【００１１】
したがって、一対の管の間隔は、第１筒部を切断することで短くすることができる一方、２以上の調整用連結管を連結することで長くすることも可能である。しかも、切断前の第１筒部の端部、切断後の第１筒部の端部、及び第２筒部は一対の管及び互いに嵌合により連結されるので、嵌合後もその姿勢を維持することが可能となっている。
【００１２】
（２）また、前記第１筒部及び第２筒部は円筒状に形成されると共に、前記第２筒部は、前記第１筒部の外径に対応する（外径と同一又は略同一の）内径若しくは前記第１筒部の内径に対応する（内径と同一又は略同一の）外径を有して形成されていることが好ましい。
【００１３】
これにより、第２筒部が第１筒部の一方の端部の外径に対応する（外径と同一の）内径を有している場合には、該第２筒部に第１筒部の一方の端部を収容することで容易に２つの調整用連結管を連結することができる。
【００１４】
また、第２筒部が第１筒部の一方の端部の内径に対応する（内径と同一の）外径を有している場合には、該第２筒部を第１筒部の一方の端部に収容することで容易に２つの調整用連結管を連結することができる。
【００１５】
（３）また、少なくとも前記第１筒部が透明又は半透明な素材により形成されていることが好ましい。
【００１６】
これにより、第１筒部の内周面側からも或いは当該内周面側を透かして溝部を視認することができるので、溝部に鋸等の刃を当てて第１筒部を切断する場合であっても、切断部位及びこれから切断しようとする部位となる溝部を全体に亘って視認することができ、切断精度を向上させることができる。
【００１７】
（４）本願発明に係る長さ調整用連結管を用いた排水桝の設置構造は、前記一対の管は排水桝を構成し、前記一方の管が上端縁を地表面に露出させる蓋受枠管であって、他方の管が処理装置に連通する立上り管であり、該蓋受枠管と該立上り管とが前記長さ調整用連結管により連結されたことを特徴とする。
【００１８】
これによれば、長さ調整用連結管は、排水桝を形成するこれら蓋受枠管と立上り管との間に配備されることとなり、これによって、施工の状況に応じて蓋受枠管の上端縁の地表面（又は仮想地表面）に対する高さの調整を調整用連結管による高さ調整により容易に行うことが可能となる。
【発明の効果】
【００１９】
本発明の長さ調整用連結管によれば、互いに嵌合可能な一対の管同士の間隔を任意に調整することができ、且つ、その間隔を常に維持することができる。
【発明を実施するための最良の形態】
【００２０】
以下、図１〜図６に基づき、本発明を排水桝に実施した形態につき、詳細に説明する。
【００２１】
図１及び図２に示す如く、本発明に係る排水桝９は、地中に埋設されて排水の処理装置となる桝本体９０と、該桝本体９０に連通して接続される共に地表面に向けて立ち上がる立上り管９１と、該立上り管９１の上方に位置すると共に下地盤Ｇ上に形成される仕上げ面Ｆに上端縁を露出させる蓋受枠管９２とを備え、該立上り管９１と蓋受枠管９２との間に本願発明の長さ調整用連結管１が配備されている。
【００２２】
蓋受枠管９２は、円筒状に形成される管本体９３を有し、該管本体９３の上端縁部に蓋体９４を嵌合支持する。
【００２３】
管本体９３は、所定の外径及び内径を有する環状部９５と、該環状部９５の内径と同一の外径と所定の大きさを有する内径とを有して環状部９５の下端部に連結される縮径部９６とを備えて形成されており、縮径部９６の上端部により、当該縮径部９６と環状部９５との間に段部９６ａが形成されている。
【００２４】
また、蓋体９４は、環状部９５の内径と等しい若しくは僅かに小さい直径を有する円盤状に形成され、段部９６ａ上に載置された状態で環状部９５に嵌合可能となっている。本実施形態において、蓋体９４は管本体９３に着脱自在とされているが、管本体９３と蓋体９４とをヒンジ機構等を介して連結することで該蓋体９４を管本体９３に開閉自在として取り付けることも可能である。
【００２５】
立上り管９１は、管本体９３の環状部９５と同一の外径及び内径を備える円筒状に形成されており、これによって、蓋受枠管９２は、縮径部９６の外周面を立上り管９１の内周面に当接又は密着させた状態で該立上り管９１の端部に嵌合することが可能となっている。このとき、蓋受枠管９２の軸心と立上り管９１の軸心とは一致する。
【００２６】
図３及び図４に示す如く、長さ調整用連結管１は、熱可塑性樹脂のうち、特にポリ塩化ビニル、アクリロニトリルブタジエンスチレン、ポリスチレン、アクリル、ポリカーボネート、変性ポリフェニレンエーテル等の非結晶性の樹脂素材を原料として型枠成型等により成型されることにより全体を透明又は半透明として形成され、互いに径の大きさを異にする一対の筒部２、３を同一軸心上で連結した形状に形成されている。これら一対の筒部２、３は、一方が蓋受枠管９２に嵌合可能な第１筒部２であって、他方が立上り管９１に嵌合可能な第２筒部３として構成されている。
【００２７】
第１筒部２は、蓋受枠管９２の環状部９５及び立上り管９１と同一の外径及び内径を有する円筒状に形成されている。また、第１筒部２の外周面には、図３に示すように、軸心Ｘに対し円周方向に複数本（本実施例においては４本）の溝部４が等間隔で形成されている。
【００２８】
該溝部４は、第１筒部２の厚さ（肉厚）に対して１／５〜１／１０程度の深さ、即ち、第１筒部２の厚さを２．５ｍｍとする場合に０．２５ｍｍ〜０．５ｍｍ程度の深さで形成されているのが好ましく、最も好ましくは０．３ｍｍである。また、本実施形態においては、溝部４間の間隔は１０ｍｍとされているが、該ピッチは５ｍｍ〜２０ｍｍ程度であればどのような間隔でも構わない。また、溝部の形状もＶ字状やボックス状とする等、長さ調整用連結管１の使用目的や使用現場に応じて適当な形状のものが選択される。
【００２９】
各溝部４は、現場作業用のカッターや鋸等の公知の切断手段の切断ガイドとなり、これにより、これら公知の切断手段によって第１筒部２は、図３に示す如く切断線Ｑを境として第２筒部３側の本体側第１筒部２ａと端材側第１筒部２ｂとに二分することができる。このように第１筒部２を切断することにより、長さ調整用連結管１の軸方向の長さを短縮することが可能となっている。
【００３０】
また、第１筒部２は円筒状に形成されているため、切断後の本体側第１筒部２ａの切断面は切断前の第１筒部２の端部形状に一致又は略一致する。これによって第１筒部２は、切断後の本体側第１筒部２ａのみとなった場合であっても蓋受枠管９２の縮径部９６に内嵌することが可能となっている。
【００３１】
第２筒部３は、蓋受枠管９２の環状部９５及び立上り管９１の外径と同一の内径及び所定の大きさの外径を有して形成されており、第１筒部２に連結されることでこれら当該第１筒部２と第２筒部３との間に段部５が形成されている。
【００３２】
また、第２筒部３の内径が蓋受枠管９２の環状部９５及び立上り管９１の外径と同一であるため、該第２筒部３の内径は第１筒部２の外径と同一となり、これによって、第２筒部３は、図４に示す如く同一の長さ調整用連結管１の第１筒部２にも嵌合することができる。
【００３３】
本実施形態の構成は以上であって、次に、住宅の施工現場で本実施形態の排水桝９を施工する手順について図５を用いて説明する。
【００３４】
図５（ａ）に示す如く、先ず、排水桝９を設置する位置の下地盤Ｇを所定の深さまで掘り込んで掘込み部Ｄを形成し、該掘込み部Ｄに立上り管９１を上端部に蓋受枠管９２を嵌合させた状態で埋設する。このとき、立上り管９１の軸心を鉛直方向に設定した状態で埋設することが好ましい。
【００３５】
このとき、蓋受枠管９２の上端縁は住宅施工後に下地盤Ｇ上に形成される仕上げ面Ｆよりも高さｈ程度低い位置に位置するものとなる。
【００３６】
ここで、仕上げ面Ｆはモルタルやタイル等、所定厚さを有する部材を下地盤Ｇ上に積層することで施工され、また、該仕上げ面Ｆの施工に先立って上述の如き排水桝９の埋設施工を行うことが一般的に行われている。そうすると、排水桝９を施工する当初から蓋受枠管９２の上端面を仕上げ面Ｆに一致させて施工すると、仕上げ面Ｆを施工する以前の下地盤Ｇを露出させている段階では該蓋受枠管９２の上端部が下地盤面から突出することとなり、これによって作業者の歩行の障害となるばかりでなく作業車等の通行の妨げとなる。或いは、作業車等が衝突することにより蓋受枠管９２や立上り管９１を損傷させてしまう虞もある。この様な状況を回避すべく、現段階（仕上げ面Ｆの施工前段階）においては、図５（ａ）に示す如く、蓋受枠管９２の上端縁は仕上げ面Ｆよりもｈ程度低い状態で設定される。
【００３７】
その後、仕上げ面Ｆの施工を行う段階まで作業が進むと、蓋受枠管９２を立上り管９１から取り外し、図５（ｂ）に示す如く長さ調整用連結管１を立上り管９１に嵌合する。このとき、長さ調整用連結管１の第１筒部２を切断することにより、該長さ調整用連結管１の軸心方向の大きさを上記高さの差ｈを解消可能な大きさに設定しておく。当該長さ調整用連結管１を切断するに際し、長さ調整用連結管１は透明又は半透明に形成されているので、内周面側からでも第１筒部２の溝部４を視認することができるばかりでなく、当該内周面を透かして溝部４を視認することができるのである。
【００３８】
したがって、溝部４に現場作業用のカッターや鋸等の刃を沿わせて第１筒部２を切断する場合には、当該切断部及びこれから切断しようとする切断ラインとなる溝部４を常に視認しつつ切断作業が行われ、これによって溝部４に沿って高精度に第１筒部２の切断がなされる。この結果、切断面は長さ調整用連結管１の軸心に対し垂直若しくは略垂直に形成され、該切断面上に蓋受枠管９２を載置する場合であっても、蓋受枠管９２の上端面が水平に維持される。
【００３９】
なお、高さの差ｈが長さ調整用連結管１と同程度の大きさである場合には、当然に当該長さ調整用連結管１を切断する必要はない。
【００４０】
その後、図５（ｃ）に示す如く、仕上げ面Ｆの施工を行う。上述の如く長さ調整用連結管１を設けることにより、蓋受枠管９２の上端縁は仕上げ面Ｆの高さに一致することとなり、これによって、仕上げ面Ｆと蓋受枠管９２の上端縁（即ち蓋体９４の上面）とが平滑に連結されることとなる。
【００４１】
ところで、立上り管９１の上端縁と仕上げ面Ｆとの高さの差は、現場ごとに夫々異なるばかりでなく、同一現場であっても立上り管９１の配設位置によっても夫々異なり、当該高さの差が長さ調整用連結管１の長さ以上となる場合も少なくない。かかる状況に対応すべく、本願発明の長さ調整用連結管１は、第１筒部２の外径と第２筒部３の内径とを同一径として形成すると共に、第１筒部２の下端部により段部５が形成されているため、一対の長さ調整用連結管１を用い、一方の長さ調整用連結管１の第１筒部２に他方の長さ調整用連結管１の第２筒部３を内嵌することによって、これら一対の長さ調整用連結管１を軸心方向に連結することが可能となっている。このため、上述の如く高さの差が長さ調整用連結管１の長さ以上となる場合であっても、図６に示す如く、複数の長さ調整用連結管１を軸心方向に連結することで当該高さの差を調整し得る。
【００４２】
本実施形態によれば、長さ調整用連結管１は、第１筒部２を切断することにより軸心方向の長さの短小化が図られる。のみならず、複数の長さ調整用連結管１同士を軸心方向に連結することで単体の長さ調整用連結管１の長さ以上の長さに対応可能となっている。このため、上述の如く施工の進行に伴って排水桝９の蓋受枠管９２の高さ位置を下降又は上昇させなければならない場合であっても、１又は複数の長さ調整用連結管１の切断や連結をすることでかかる高さ調整への柔軟な対応が図られ、施工性を著しく向上させるものとなる。
【００４３】
以上、本発明を排水桝９に実施した形態について詳述したが、本発明は上記実施形態にのみ限定されるものではない。
【００４４】
例えば、蓋受枠管９２と立上り管９１の径の大きさに合わせて長さ調整用連結管１の第１筒部２及び第２筒部３の径の大きさも適宜変更することができきる。このため、上記実施形態においては、長さ調整用連結管１の第２筒部３により立上り管９１の上端部が包囲されると共に、蓋受枠管９２の縮径部９６が第１筒部２に包囲されることとなっているが、該立上り管９１の上端部により長さ調整用連結管１の第２筒部３を包囲する構成と蓋受枠管９２の縮径部９６により第１筒部２を包囲する構成のいずれか若しくは両方の構成を採用する場合であっても、上記実施形態と同様の作用効果を奏する。
【００４５】
即ち、第１筒部２及び第２筒部３は円筒状に形成されると共に、該第２筒部３は、第１筒部２の外径に対応する（外径と同一又は略同一の）内径若しくは第１筒部２の内径に対応する（内径と同一又は略同一の）外径を有して形成される。
【００４６】
また、長さ調整用連結管１の断面形状は、真円状に限らず、立上り管９１等の形状に合わせて、四角形状、六角形状、八角形状等の多角形状や楕円形状を採用することも可能である。
【００４７】
また、本願発明の長さ調整用連結管１は、上記実施形態の如く排水桝９の立上り管９１と蓋受枠管９２の間に配備されるのみでなく、点検口や掃除口等の立て管の延長・微調整や横引き管の延長・微調整等、互いに嵌合可能な一対の管を備えるものであれば、いずれであってもそれら一対の管の間に配備することが可能である。
【産業上の利用可能性】
【００４８】
本発明の活用例として、排水桝等の高さを調整するための長さ調整用連結管に適用出来る。
【図面の簡単な説明】
【００４９】
【図１】本発明に係る長さ調整用連結管を排水桝に適用した場合の一例を示す全体斜視図である。
【図２】本発明に係る長さ調整用連結管を排水桝に適用した場合の一例を示す断面説明図である。
【図３】本発明に係る長さ調整用連結管の一例を示す側面図である。
【図４】本発明に係る長さ調整用連結管の一例を示す断面説明図である。
【図５】本発明に係る長さ調整用連結管を備えた排水桝を施工する手順を説明する図である。
【図６】本発明に係る長さ調整用連結管を２つ連結した様子を示す断面説明図である。
【符号の説明】
【００５０】
１…長さ調整用連結管
２…第１筒部
２ａ…本体側第１筒部
２ｂ…端材側第１筒部
３…第２筒部
４…溝部
５…段部
９…排水桝
９０…桝本体
９１…立上り管
９２…蓋受枠管
９３…管本体
９４…蓋体
９５…環状部
９６…縮径部
９６ａ…段部
Ｄ…掘込み部
Ｆ…仕上げ面
Ｇ…下地盤
ｈ…高さの差
Ｑ…切断線
Ｘ…軸心
【図１】
2010101051.tif 000003
【図２】
2010101051.tif 000004
【図３】
2010101051.tif 000005
【図４】
2010101051.tif 000006
【図５】
2010101051.tif 000007
【図６】
2010101051.tif 000008